(57)【要約】【課題】  搬送中に衝撃が加わっても、収納したガラス基板に損傷を与えることのないガラス基板収納装置を提供する。【解決手段】  ガラス基板収納装置１０は、底部１３と側部１２とを有し内部にガラス基板３０を垂直方向に配置して収納する収納ボックス１１と、収納ボックス１１の開口１１ａを覆う蓋体２０と、蓋体２０の裏面に設けられ収納ボックス１１内のガラス基板３０を上方から押える押え板２５とを備えている。押え板２５は蓋体２０の凹部２２内に嵌合して固定され、凹部２２内で動くことはない。押え板２５にはガラス基板３０の上縁３０ａ全長に延びる保持溝２７が形成されている。【選択図】  図１
2006199351.tif 000002
【特許請求の範囲】
【請求項１】
底部と、開口を形成する側部とを有し、複数の矩形状ガラス基板を垂直方向に配置して収納するとともに、底部と側部とにガラス基板を支持する支持溝が形成された収納ボックスと、
収納ボックスの開口に装着され、側部の上端に係合するとともに内側に設けられた凹部を囲む枠体を有する蓋体と、
蓋体の裏面に設けられ、収納ボックス内のガラス基板を上方から保持する押え板とを備え、
押え板は蓋体の凹部内に嵌合して凹部内に固定され、押え板にガラス基板を保持する保持溝が形成されていることを特徴とするガラス基板収納装置。
【請求項２】
押え板は一枚板からなり、凹部内に嵌合することを特徴とする請求項１記載のガラス基板収納装置。
【請求項３】
押え板は分割された複数板からなることを特徴とする請求項１記載のガラス基板収納装置。
【請求項４】
押え板の保持溝は、ガラス基板の上縁全長に渡って延びていることを特徴とする請求項１乃至３のいずれか記載のガラス基板収納装置。
【請求項５】
蓋体の凹部内に第１面ファスナ材が設けられ、押え板に第１面ファスナ材と係合する第２面ファスナ材が設けられていることを特徴とする請求項１乃至４のいずれか記載のガラス基板収納装置。
【請求項６】
収納ボックスと蓋体はポリプロピレンまたはピオセランからなり、押え板は収納ボックスおよび蓋体より軟質の発泡ポリエチレンからなることを特徴とする請求項１乃至５のいずれか記載のガラス基板収納装置。
【発明の詳細な説明】
【技術分野】
【０００１】
本発明はガラス基板を収納して搬送するガラス基板収納装置に係り、とりわけ搬送中においてガラス基板の損傷を防止することができるガラス基板収納装置に関する。
【背景技術】
【０００２】
液晶表示パネルやプラズマディスプレイパネル、あるいはこれらの素材（以下、総称してガラス基板という）を搬送するため、収納ボックスと、収納ボックスを覆う蓋体からなるガラス基板収納装置が用いられている（特許文献１および２参照）。
【０００３】
また収納ボックス内のガラス基材を押えるため、押え板が用いられている。この押え板は高分子ポリエチレン等からなり、蓋体の大きさより小さく、かつ２枚以上で構成され、面ファスナにより蓋体の裏面に固定されている。
【特許文献１】特許第３３２５３８５号
【特許文献２】特開２００３−２９２０８７号
【発明の開示】
【発明が解決しようとする課題】
【０００４】
ところで上述のように蓋体の裏面に押え板が設けられているが、この押え板はガラス基板収納装置に落下や振動等の外部衝撃が加わった場合、面ファスナにより蓋体に固定されているためずれることがある。また押え板は一般に蓋体の裏面より小さく、かつ２枚以上で構成されているため、外部衝撃が加わったときに押え板のずれ方（位置、量）がそれぞれ異なり、その結果、収納ボックス内のガラス基板がずれたり、損傷したりするという問題がある。
【０００５】
本発明はこのような点を考慮してなされたものであり、搬送中においてガラス基板に損傷を与えることのないガラス基板収納装置を提供することを目的とする。
【課題を解決するための手段】
【０００６】
本発明は、底部と、開口を形成する側部とを有し、複数の矩形状ガラス基板を垂直方向に配置して収納するとともに、底部と側部とにガラス基板を支持する支持溝が形成された収納ボックスと、収納ボックスの開口に装着され、側部の上端に係合するとともに内側に設けられた凹部を囲む枠体を有する蓋体と、蓋体の裏面に設けられ、収納ボックス内のガラス基板を上方から保持する押え板とを備え、押え板は蓋体の凹部内に嵌合して凹部内に固定され、押え板にガラス基板を保持する保持溝が形成されていることを特徴とするガラス基板収納装置である。
【０００７】
本発明は、押え板は一枚板からなり、凹部内に嵌合することを特徴とするガラス基板収納装置である。
【０００８】
本発明は、押え板は分割された複数板からなることを特徴とするガラス基板収納装置である。
【０００９】
本発明は、押え板の保持溝は、ガラス基板の上縁全長に渡って延びていることを特徴とするガラス基板収納装置である。
【００１０】
本発明は、蓋体の凹部内に第１面ファスナ材が設けられ、押え板に第１面ファスナ材と係合する第２面ファスナ材が設けられていることを特徴とするガラス基板収納装置である。
【００１１】
本発明は、収納ボックスと蓋体はポリプロピレンまたはピオセランからなり、押え板は収納ボックスおよび蓋体より軟質の発泡ポリエチレンからなることを特徴とするガラス基板収納装置である。
【発明の効果】
【００１２】
以上説明したように本発明によれば、ガラス基板をガラス基板収納装置内に収納して搬送する際、ガラス基板収納装置に対して衝撃が加わっても、ガラス基板を損傷させることはない。このためガラス基板を安全にかつ確実に搬送させることができる。
【発明を実施するための最良の形態】
【００１３】
以下、図面を参照して本発明の実施の形態について説明する。
【００１４】
図１乃至図４は、本発明によるガラス基板収納装置の一実施の形態を示す図である。
【００１５】
図１乃至図３に示すように、ガラス基板収納装置１０は、ガラスメーカー、カラーフィルターメーカー、およびデバイスメーカーの相互間においてガラス基板３０を収納して搬送するものであり、ガラス基板３０としては液晶表示パネル、プラズマディスプレイパネル、およびこれらの素材が考えられる。
【００１６】
またガラス基板３０は、矩形状をなし、その大きさは例えば１２５０ｍｍ×１１００ｍｍとなっており、厚みは例えば０．６ｍｍとなっている。
【００１７】
上述のようなガラス基板収納装置１０は、底部１３と、開口１１ａを形成する側部１２とを有し複数のガラス基板３０を垂直方向に配置して収納する収納ボックス１１と、収納ボックス１１の開口１１ａに装着されるとともに、側部１２の上端１２ｂに係合する枠体２１を有する蓋体２０と、蓋体２０の裏面に設けられ収納ボックス１１内のガラス基板３０を上方から保持する押え板２５とを備えている。
【００１８】
このうち、収納ボックス１１の底部１３には、ガラス基板３０の下縁を支持する複数の支持溝１３ａが設けられ、収納ボックス１１の側部１２には、ガラス基板３０の側縁を支持する複数の支持溝１２ａが設けられている。
【００１９】
さらに収納ボックス１１は側部１２ａによって形成された開口１１ａを有し、上述のように側部１２ａの上端１２ｂに蓋体２０の枠体２１が係合して固定され、蓋体２０によって収納ボックス１１の開口１１ａが覆われる。
【００２０】
ところで蓋体２０の枠体２１は蓋体２０の周縁に沿って形成され、この枠体２１の内側に凹部２２が形成されている。この場合、蓋体２０の裏面のうち、枠体２１により囲まれた領域が凹部２２となる。
【００２１】
また蓋体２０の裏面に設けられた押え板２５は、収納ボックス１１内のガラス基板３０を上方から保持するものであり、押え板２５のガラス基板３０側の面には、ガラス基板３０が進入するとともにこのガラス基板３０を保持する複数の保持溝２７が設けられている。押え板２５は蓋体２０の凹部２２と略同一形状を有し、このため蓋体２０の凹部２２内に押え板２５を密接した状態で嵌合することができる。押え板２５は一枚板から形成されていることが好ましいが、互いに分割された二枚板あるいは三枚板からなっていてもよい。
【００２２】
複数枚の板から押え板２５を形成した場合も、押え板２５は全体として蓋体２０の凹部２２内に嵌合して凹部２２内において移動しないようになっている。
【００２３】
さらに、蓋体２０の凹部２２内に嵌合された押え板２５は複数の保持溝２７を有しているが、この保持溝２７はガラス基板３０の上縁３０ａの全長に渡って連続して延びている。したがってガラス基板３０の上縁３０ａの全長を押え板２５の保持溝２７によって、堅固に保持することができ、ガラス基板３０の上縁３０ａにおいて保持溝２７によって保持されない部分が生じることはない。
【００２４】
上述のように押え板２５は蓋体２０の凹部２２内に嵌合されているが、凹部２２内面に固着された第１面ファスナ材２３と、押え板２２上面に固着された第２面ファスナ材２６とによって押え板２５は蓋体２０の凹部２２内に固定保持されている。このため蓋体２０を収納ボックス１１から取外した場合、押え板２５を蓋体２０とともに収納ボックス１１から引離すことができる。
【００２５】
次に各部材の材料について述べる。収納ボックス１１および蓋体２０は、例えばポリプロピレン製となっており、押え板２５は収納ボックス１１および蓋体２０の双方に対して軟質となる発泡樹脂、例えば発泡ポリエチレンからなっている。なお、収納ボックス１１および蓋体２０をピオセランから形成してもよい。
【００２６】
次にこのような構成からなる本実施の形態の作用について以下説明する。
【００２７】
まず、蓋体２０および押え板２５が収納ボックス１１から取外された状態で、収納ボックス１１内に複数のガラス基板３０を収納保持する。この場合、ガラス基板３０は底部１３の保持溝１３ａおよび側部１２の保持溝１２ｂに係合される。
【００２８】
次に、収納ボックス１１内に収納されたガラス基板３０上に押え板２５を載置し、ガラス基板３０の上縁３０ａを押え板２５の保持溝２７内に挿着する。
【００２９】
次に収納ボックス１１の側部１２の上端１２ｂに蓋体の枠体２１を係合させて、収納ボックス１１の開口１１ａを蓋体２０により覆う。この場合、蓋体２０の凹部２２内に押え板２５が嵌合し、押え板２５は第１面ファスナ２３と第２面ファスナ２６とによって蓋体２０内に固着される。
【００３０】
複数のガラス基板３０を収納したガラス基板収納装置１０は、その後搬送される。搬送中にガラス基板収納装置１０に対して衝撃が加わった場合でも、蓋体２０の凹部２２内で押え板２５が移動することはない。このため押え板２５の保持溝２５ａによって上縁３０ａが保持されたガラス基板３０が収納ボックス１１内で移動したり変形することはなく、ガラス基板３０に損傷を与えることなく、安全にガラス基板３０を収納して搬送することができる。
【００３１】
ここで図４により、本願の比較例について説明する。図４に示す比較例のように、蓋体２０の枠体２１によって囲まれた凹部２２内に２枚の押え板２５を配置するとともに、これら押え板２５が凹部２２内で移動可能となっている場合、押え板２５が蓋体２０に面ファスナ材により固定されていても、ガラス基板収納装置に衝撃が加わると、押え板２５が凹部２２内をすべって移動することが考えられる。
【００３２】
押え板２５が移動すると、押え板２５が凹部２２内で傾斜し、これに伴なって押え板２５の保持溝２７も蓋体２０に対して傾斜する。この結果保持溝２７からガラス基板３０の上縁３０ａに対して無理な力が加わってガラス基板３０が破損することも考えられる。
【００３３】
これに対して本願発明によれば、押え板２５は蓋体２０の凹部２２内に嵌合して固定されているため、ガラス基板収納装置１０に対して衝撃が加わっても、押え板２５が凹部２２内で移動したり、押え板２５の保持溝２７が蓋体２０に対して傾斜することはない。
【００３４】
さらに、押え板２０の保持溝２７は、ガラス基板３０の上縁３０ａの全長に渡って延びているので、ガラス基板３０の上縁３０ａの全長を保持溝２７によって堅固に保持することができる。
【００３５】
以上のように本実施の形態によれば、ガラス基板収納装置１０内にガラス基板３０を収納して搬送する場合、ガラス基板収納装置１０に対して衝撃が加わってもガラス基板３０を損傷させることなく、安全に搬送させることができる。
【図面の簡単な説明】
【００３６】
【図１】本発明によるガラス基板収納装置の蓋体を示す図。
【図２】本発明によるガラス基板収納装置の蓋体を示す部分側面図。
【図３】本発明によるガラス基板収納装置の蓋体を示す斜視図。
【図４】ガラス基板収納装置の比較例を示す図。
【符号の説明】
【００３７】
１０  ガラス基板収納装置
１１  収納ボックス
１２  側部
１２ａ  支持溝
１２ｂ  上端
１３  底部
１３ａ  支持溝
２０  蓋体
２１  枠体
２２  凹部
２３  第１面ファスナ
２５  押え板
２６  第２面ファスナ
２７  保持溝
３０  ガラス基板
【図１】
2006199351.tif 000003
【図２】
2006199351.tif 000004
【図３】
2006199351.tif 000005
【図４】
2006199351.tif 000006